(57)【要約】      （修正有）【課題】電子装置モジュールを交換設置可能なノートブック型コンピュータと電子装置モジュールを提供する。【解決手段】ノートブック型コンピュータ１は、筐体１０が凹陥空間１１１と接続インターフェース１１２を含み、接続インターフェース１１２が凹陥空間１１１内に設置され、電気的に接続される。ノートブック型コンピュータ１が複数の電子装置モジュール８０を含み、各電子装置モジュール８０外殼部８１と本体部８２が伝送インターフェース８３を含み、各電子装置モジュール８０の寸法が凹陥空間１１１の大きさに合致し、各電子装置モジュール８０を凹陥空間１１１内に嵌置して筐体１０と相互に結合させることができ、且つ、伝送インターフェース８３と接続インターフェース１１２が電気的に接続され、充電またはデータ伝送を行うことができる。異なる機能の電子モジュール８０に交換して使用することができる。【選択図】図２
2009026315.tif 000002
【特許請求の範囲】
【請求項１】
ノートブック型コンピュータであって、筐体、中央処理装置、メモリ、モニタ、保存装置、着脱式バッテリセット、キーボードモジュールを含み、そのうち、
前記筐体がさらに凹陥空間と接続インターフェースを含み、前記接続インターフェースが前記凹陥空間内に設置され、且つ前記中央処理装置と電気的に接続され、
前記ノートブック型コンピュータがさらに複数の電子装置モジュールを含み、そのうち、各電子装置モジュールが外殼部と本体部を含み、前記本体部が伝送インターフェースを含み、前記各電子装置モジュールの寸法が前記凹陥空間の大きさに合致し、前記各電子装置モジュールを前記凹陥空間内に嵌置して前記筐体と相互に結合させることができ、且つ、前記伝送インターフェースと前記接続インターフェースが電気的に接続され、充電またはデータ伝送を行うことができ、
そのうち、前記複数の電子装置モジュールが個別に前記筐体と相互に結合させることができ、異なる機能の電子モジュールに交換して使用することができることを特徴とする、ノートブック型コンピュータ。
【請求項２】
前記ノートブック型コンピュータがさらにスピーカモジュールを含み、且つ、前記筐体が上筐体、下筐体、第一枢軸部及び第二枢軸部を含み、前記上筐体と前記下筐体が前記第一枢軸部と前記第二枢軸部により相互に連結され、前記スピーカモジュールが前記第一枢軸部、前記第二枢軸部と前記着脱式バッテリセットの間に設置されたことを特徴とする、請求項１に記載のノートブック型コンピュータ。
【請求項３】
前記凹陥空間の両側にそれぞれ凸部が設けられ、前記電子装置モジュールの前記外殼部上に対応する複数の凹溝が形成され、前記凸部を前記凹溝上に嵌合させることができることを特徴とする、請求項１に記載のノートブック型コンピュータ。
【請求項４】
前記凹陥空間がさらに少なくとも１つの嵌合部材を含み、前記電子装置モジュールに対応する嵌合槽が設けられ、前記嵌合部材を前記嵌合槽上に嵌合し、前記電子装置モジュールを嵌合方式で前記凹陥空間に固定することができることを特徴とする、請求項１に記載のノートブック型コンピュータ。
【請求項５】
前記上筐体がさらにイジェクト装置と連動構造を含み、前記連動構造が第一作動部材と第二作動部材を含み、前記第一作動部材が前記イジェクト装置と相互に連結され、且つ、前記第一作動部材の一端に第一斜め方向ガイド面が形成され、且つ前記第二作動部材の第二斜め方向ガイド面と相互に対応して接触が形成されることを特徴とする、請求項２に記載のノートブック型コンピュータ。
【請求項６】
前記接続インターフェースが弾性的に伸縮する複数のピンとすることができ、弾力により前記電子装置モジュールを前記凹陥空間から押し出すことができることを特徴とする、請求項１に記載のノートブック型コンピュータ。
【請求項７】
前記筐体がさらにＭＰ３再生モジュールを含み、ＭＰ３操作ボタンとディスプレイが設けられたことを特徴とする、請求項１に記載のノートブック型コンピュータ。
【請求項８】
前記筐体がさらに切換スイッチを含み、前記ノートブック型コンピュータまたは前記ＭＰ３再生モジュールの給電を切り換えることができることを特徴とする、請求項７に記載のノートブック型コンピュータ。
【請求項９】
前記筐体がさらにメモリカードスロットを含み、メモリカードを挿入して前記ＭＰ３再生モジュールでデータを読み取ることができることを特徴とする、請求項７に記載のノートブック型コンピュータ。
【請求項１０】
前記各電子装置モジュールの前記本体部が、ネットワーク電話装置、ＧＰＳ装置、日付及び時間を表示可能な装置、ウェブカメラ装置及びデジタルテレビ受信装置から構成されるグループのうちのいずれか、またはその組み合わせであることを特徴とする、請求項１に記載のノートブック型コンピュータ。
【請求項１１】
前記各電子装置モジュールがノートブック型コンピュータと分離した後、単独で使用することができることを特徴とする、請求項１に記載のノートブック型コンピュータ。
【発明の詳細な説明】
【技術分野】
【０００１】
本発明はノートブック型コンピュータ及び前記ノートブック型コンピュータに結合可能な電子装置モジュールに関し、特に、異なる機能の電子装置モジュールを交換設置可能とし、使用者の携帯と使用に便利なノートブック型コンピュータ及び前記ノートブック型コンピュータに結合可能な電子装置モジュールに関する。
【背景技術】
【０００２】
ノートブック型コンピュータはすでに現代人の欠かすことができない電子製品の一つとなっている。ノートブック型コンピュータは容易に携帯できるという特徴があるため、社会人はプレゼンテーション資料を作成したり、データを準備したりすることに使用し、学生はレポートを作成したり、また一般人は出かけるとき娯楽として使用したりしており、ノートブック型コンピュータは使用者に極めて大きな利便性を提供している。ノートブック型コンピュータそのものの基本配備のほか、別途付加機能を追加するため、ノートブック型コンピュータにケーブルを利用してその他設備を接続し、使用することがある。例えば、通信機能を備えたネットワーク電話や、相手の映像を即時に見ることができるウェブカメラ装置(ｗｅｂ  ｃａｍｅｒａ)等がある。使用者に多方面のニーズがあるとき、たくさんの外付け設備は空間を占用し、且つ携帯に不便であり、またノートブック型コンピュータと外付け設備の接続に用いる各種ケーブルも煩わしく整理しにくい。
【０００３】
このほか、科学技術の迅速な発展に伴い、ノートブック型コンピュータも小型化、薄型化の方向に向かって設計されつつある。現在市場においてよく見受けられるノートブック型コンピュータは寸法が一般の文書ファイルほどの大きさであり、携帯上の利便性は備えているが、それでも時に携帯または使用上体積が大きすぎて不便な場合がある。且つ、一般にノートブック型コンピュータのバッテリはほとんどがコンピュータ底部に設置されており、バッテリを交換したり、取り外したりするときに手間がかかり、使用者にとっては不便である。
【発明の開示】
【発明が解決しようとする課題】
【０００４】
本発明の主な目的は、使用者が便利に使用でき、異なる機能の電子装置モジュールを交換設置可能なノートブック型コンピュータを提供することにある。
【０００５】
本発明の別の目的は、前記ノートブック型コンピュータに結合可能な電子装置モジュールを提供することにある。
【課題を解決するための手段】
【０００６】
上述の目的を達するため、本発明のノートブック型コンピュータは、筐体、中央処理装置、メモリ、モニタ、保存装置、着脱式バッテリセット及びキーボードモジュールを含み、前記筐体がさらに凹陥空間と接続インターフェースを含み、前記接続インターフェースが前記凹陥空間内に設置され、且つ中央処理装置と電気的に接続され、前記ノートブック型コンピュータがさらに複数の電子装置モジュールを含み、そのうち各電子装置モジュールが外殼部及び本体部を含み、前記本体部が伝送インターフェースを含み、各電子装置モジュールの寸法が前記凹陥空間の大きさに合致し、各電子装置モジュールを前記凹陥空間内に嵌置して前記筐体と相互に結合させることができ、且つ伝送インターフェースと接続インターフェースが電気的に接続され、充電やデータ伝送を行うことができ、そのうち前記複数の電子装置モジュールは個別に前記筐体と相互に結合させることができ、異なる機能の電子モジュールを交換設置して使用することができることを特徴とする。
【０００７】
上述の別の目的を達するため、本発明の電子装置モジュールは外殼部及び外殼部内に設置された本体部を含み、前記本体部が伝送インターフェースを含み、そのうち、前記電子装置モジュールは直接ノートブック型コンピュータ上に嵌置することができ、且つ前記伝送インターフェースを介してノートブック型コンピュータと電気的に接続され、充電またはデータ伝送を行うことができることを特徴とする。
【発明の効果】
【０００８】
本発明のノートブック型コンピュータ及び前記ノートブック型コンピュータに結合可能な電子装置モジュールは、使用者が便利に使用でき、異なる機能の電子装置モジュールを交換設置することができる。  
【発明を実施するための最良の形態】
【０００９】
本発明の技術内容について、いくつか最良の実施例を示して以下で説明する。
【００１０】
図１に本発明のノートブック型コンピュータの基本構成部材のブロック図を示す。ノートブック型コンピュータ１の基本構成部材は、中央処理装置２０、メモリ３０、モニタ４０、保存装置５０、着脱式バッテリセット６０及びキーボードモジュール７０を含む。各部材間は電気的に接続され、且つ着脱式バッテリセット６０により電源が供給され、ノートブック型コンピュータ１を起動し、使用することができる。
【００１１】
以下、図２と図３の本発明のノートブック型コンピュータと電子装置モジュールの結合前後の立体図を参照する。本発明のノートブック型コンピュータ１は筐体１０、モニタ４０、着脱式バッテリセット６０及びキーボードモジュール７０を含み、そのうち、筐体１０はさらに凹陥空間１１１及び接続インターフェース１１２を含み、接続インターフェース１１２は凹陥空間１１１内に設置され、且つ中央処理装置２０と電気的に接続されることを特徴とする。ノートブック型コンピュータ１はさらに複数の電子装置モジュール８０を含み、そのうち各電子装置モジュール８０は外殼部８１及び本体部８２を含み、本体部８２は伝送インターフェース８３を含み、各電子装置モジュール８０のサイズは凹陥空間１１１の大きさに合致しており、各電子装置モジュール８０を凹陥空間１１１内に嵌置して筐体１０に結合させることができ、且つ、伝送インターフェース８３と接続インターフェース１１２が電気的に接続され、充電やデータ伝送を行うことができる。複数の電子装置モジュール８０は取り外して交換設置することができる。
【００１２】
使用者は電子装置モジュール８０とノートブック型コンピュータ１を結合させた後、伝送インターフェース８３と接続インターフェース１１２の電気的接続を介して直接ノートブック型コンピュータ１上で電子装置モジュール８０そのものが持つ機能を運用または制御することができる。このほか、電子装置モジュール８０はノートブック型コンピュータ１から取り外した後、一般の特殊機能を備えた電子装置製品として単独で使用することができる。本実施例において、電子装置モジュール８０はネットワーク電話装置またはウェブカメラ装置としているが、その他機能を備えた電子装置モジュール８０とすることもでき、例えばＧＰＳ装置や日付・時間を表示できる装置、デジタルテレビ受信装置等、本実施例によって制限されることはない。
【００１３】
本発明のノートブック型コンピュータ１の筐体１０は上筐体１１、下筐体１２、第一枢軸部１３及び第二枢軸部１４を含み、上筐体１１及び下筐体１２は第一枢軸部１３及び第二枢軸部１４で相互に連結され、上筐体１１の展開位置を調整したり、上筐体１１と下筐体１２の両者を閉じ合わせたりすることができる。本実施例において、モニタ４０、凹陥空間１１１及び接続インターフェース１１２は上筐体１１に設置され、着脱式バッテリセット６０及びキーボードモジュール７０は下筐体１２に設置される。ノートブック型コンピュータ１の着脱式バッテリセット６０は第一枢軸部１３と第二枢軸部１４の間に設置され、この着脱式バッテリセット６０と枢軸部の結合設計により、不必要な空間の無駄を省く効果を達し、ノートブック型コンピュータ１の体積を小さくできるだけでなく、同時に使用者が着脱式バッテリセット６０を直接取り外して交換する動作を行うことができる。このほか、ノートブック型コンピュータ１はさらにスピーカモジュール９０を含み、前記第一枢軸部１３、第二枢軸部１４と前記着脱式バッテリセット６０の間に設置され、この設計によっても空間を節約し、体積を小さくする効果が達せられる。このほか、本実施例において、ノートブック型コンピュータ１は下筐体１２の左右両側にさらにＵＳＢスロット、ＤＶＩスロット、外部電源孔及びネットワークコネクタ孔等の各類型のスロットを備え、使用者が必要時に利用することができる。
【００１４】
図４に本発明のノートブック型コンピュータの実施例２の立体図を示す。この実施例において、ノートブック型コンピュータ１aの凹陥空間１１１は下筐体１２に設置され、対応する電子装置モジュール８０も下筐体１２に結合される。この設計により、上筐体１１に設置されるモニタ４０の寸法を調整し、異なる使用者のニーズに対応することができる。
【００１５】
図５に本発明のノートブック型コンピュータの凹陥空間の立体拡大図を示す。凹陥空間１１１はさらに少なくとも１つの嵌合部材１１３を含み、前記電子装置モジュール８０に対応して嵌合槽が設けられ、前記嵌合部材１１３を前記嵌合槽上に嵌合させ、電子装置モジュール８０を嵌合方式で前記凹陥空間１１１に固定することができる。本実施例において、少なくとも１つの嵌合部材１１３はＬ字形フックであり、電子装置モジュール８０の外殼部８１に少なくとも１つのＬ字形フックに位置が対応し、且つそれと相互に係合される少なくとも１つのＬ字形嵌合槽８５が設けられ、電子装置モジュール８０を凹陥空間１１１に結合させたいときは、Ｌ字形フックをＬ字形嵌合槽８５に伸入させ、且つＬ字形フックのフック部分をＬ字形嵌合槽８５の壁面に係止して固定効果を形成し、電子装置モジュール８０が凹陥空間１１１から離脱しないよう防止することができる。凹陥空間１１１の両側にはそれぞれ凸部１１４が設けられ、電子装置モジュール８０の外殼部８１上の複数の凹溝８４と相互に対応し、電子装置モジュール８０を横方向に凹陥空間１１１へ挿入するとき、凹陥空間１１１両側の凸部１１４が外殼部８１の対応する凹溝８４の開口端から円滑に凹溝８４内に嵌入され、電子装置モジュール８０がよりしっかりと凹陥空間１１１内に嵌置される。このほか、本実施例において、凹陥空間１１１内に設置された接続インターフェース１１２は、弾性的に伸縮する複数のピン１１２ａとし、内部の弾性部材(図示しない)を利用して複数のピン１１２ａが外力の影響を受けて圧縮または弾性的回復の効果を得られるようにすることができる。電子装置モジュール８０を凹陥空間１１１に結合させる過程において、電子装置モジュール８０を徐々に押し入れるのに伴い、複数のピン１１２ａと伝送インターフェース８３が弾性的に接触して電気的接続を形成し、さらに外力が生み出されて複数のピン１１２ａを電子装置モジュール８０が押し入れられる側と反対の方向に向かって、電子装置モジュール８０が少なくとも１つの嵌合部材１１３により凹陥空間１１１内に完全に固定されるまで圧縮される。
【００１６】
図６に本発明のノートブック型コンピュータの上筐体の断面図を示す。図６に示すように、上筐体１１はさらにイジェクト装置１１５と連動構造１１６を含み、連動構造１１６は第一作動部材１１７と第二作動部材１１８を含み、第一作動部材１１７はイジェクト装置１１５と相互に接続され、且つ第一作動部材１１７の一端に第一斜め方向ガイド面１１７ａが形成され、且つ第二作動部材１１８の第二斜め方向ガイド面１１８ａと相互に対応して接触が形成される。イジェクト装置１１５は凹陥空間１１１に相隣して設置され、少なくとも１つの嵌合部材１１３が連動構造１１６の第二作動部材１１８上に結合される。本実施例において、イジェクト装置１１５はボタン構造とする。ノートブック型コンピュータ１上に結合された電子装置モジュール８０を取り外すときは、イジェクト装置１１５を押して第一作動部材１１７に後方への水平移動を発生させ、このとき連動作用で後方に移動した第一作動部材１１７の第一斜め方向ガイド面１１７ａが第二作動部材１１８の対応して接触する第二斜め方向ガイド面１１８ａに実質上垂直下方向への押す力を発生させ、第二作動部材１１８を下方向へ移動させ、少なくとも１つの嵌合部材１１３に同時に下方向への移動を発生させてそのフック部分を嵌入されていたＬ字形嵌合槽８５壁面から離脱させ、電子装置モジュール８０の嵌合状態を解除することができる。少なくとも１つの嵌合部材１１３が電子装置モジュール８０の嵌合状態を解除すると、前述の電子装置モジュール８０が押し入れられて圧縮された複数のピン１１２ａが外部からの加圧の力が失われるため弾力回復作用を形成し、このとき複数のピン１１２ａは外側に向かって弾性回復力を発生し、電子装置モジュール８０を凹陥空間１１１の外へと押し出すため、使用者はこれを取り外したり、その他電子装置モジュール８０に交換したりすることができる。このほか、連動構造１１６は第一バネ部材１１７ｂを含み、第一バネ部材１１７ｂの一端は上筐体１１に連結され、他端は第一作動部材１１７に連結される。連動構造１１６はさらに第二バネ部材１１８ｂを含み、第二バネ部材１１８ｂの一端は上筐体１１に連結され、他端は第二作動部材１１８に連結される。イジェクト装置１１５が押されて第一作動部材１１７と第二作動部材１１８に移動が発生すると、同時に第一バネ部材１１７ｂと第二バネ部材１１８ｂが引っ張られる。イジェクト装置１１５を放すと、第一バネ部材１１７ｂと第二バネ部材１１８ｂの弾力回復作用で第一作動部材１１７と第二作動部材１１８がそれぞれ元の位置に戻り、イジェクト装置１１５と少なくとも１つの嵌合部材１１３にも元の位置を回復させることができる。
【００１７】
図７に本発明のノートブック型コンピュータの実施例３の凹陥空間の立体拡大図を示す。凹陥空間１１１’は嵌合部材１１３’を含み、電子装置モジュール８０’を嵌合方式で前記凹陥空間１１１’に固定することができる。本実施例において、嵌合部材１１３’は円柱体であり、電子装置モジュール８０’の外殼部８１’にこの円柱体に位置が対応し、且つ相互に嵌合されるフック形嵌合槽８６が設けられ、電子装置モジュール８０’を凹陥空間１１１’に結合させるときは、円柱体をフック形嵌合槽８６内に伸入させ、フック形嵌合槽８６内部のフック状の空間により円柱体をその中に嵌入させて固定効果を形成し、電子装置モジュール８０ａが凹陥空間１１１’から離脱するのを防ぐことができる。このほか、本実施例において、凹陥空間１１１’内に設置された接続インターフェース１１２は弾性的に伸縮可能な複数のピン１１２ａ’とし、複数のピン１１２ａ’そのものが外力の影響を受けて直接圧縮または弾性回復効果を発生することができる。電子装置モジュール８０’を凹陥空間１１１’に結合させる過程において、電子装置モジュール８０’が下方を支点として徐々に回転されながら押し入れられるのに伴い、複数のピン１１２ａ’と電子装置モジュール８０’下方に設置された伝送インターフェース (図示しない)が弾性的に接触し、電気的接続が形成され、外力が生み出されて複数のピン１１２ａ’を電子装置モジュール８０’が押し入れられる側と反対の方向に向かって、電子装置モジュール８０’が少なくとも１つの嵌合部材１１３’により凹陥空間１１１’内に完全に固定されるまで圧縮される。
【００１８】
図８に本発明のノートブック型コンピュータの実施例３の上筐体の断面図を示す。この図８に示すように、上筐体１１はさらにイジェクト装置１１５’と連動構造１１６’を含み、連動構造１１６’は第一作動部材１１７’及び第二作動部材１１８’を含み、第一作動部材１１７’はイジェクト装置１１５’と相互に連結され、且つ第一作動部材１１７’の一端に第一斜め方向ガイド面１１７ａ’が形成され、第二作動部材１１８’の第二斜め方向ガイド面１１８ａ’と相互に対応して接触が形成される。イジェクト装置１１５’は凹陥空間１１１’に相隣して設置され、嵌合部材１１３’が連動構造１１６’の第二作動部材１１８’上に結合される。本実施例において、イジェクト装置１１５’は押し動かすことができるスイッチ構造とする。電子装置モジュール８０’を取り外すときは、イジェクト装置１１５’を下方向に押して第一作動部材１１７’に下方への移動を発生させ、このとき連動作用で下方に移動した第一作動部材１１７’の第一斜め方向ガイド面１１７ａ’が第二作動部材１１８’の対応して接触する第二斜め方向ガイド面１１８ａ’に実質上水平左方向への押す力を発生させ、第二作動部材１１８’を左方向へ移動させ、嵌合部材１１３’に同時に左方向への移動を発生させる。フック形嵌合槽８６の斜面構造により嵌合部材１１３’が左方向へ移動して斜面構造に達したときに連動作用が発生し、電子装置モジュール８０’を外部へと押し動かして電子装置モジュール８０’に対する嵌合状態が解除される。嵌合部材１１３’が電子装置モジュール８０’の嵌合状態を解除すると、前述の電子装置モジュール８０’が押し入れられて圧縮された複数のピン１１２ａ’が外部からの加圧の力が失われるため弾力回復作用を形成し、このとき複数のピン１１２ａ’は外側に向かって弾性回復力を発生し、電子装置モジュール８０’を凹陥空間１１１’の外へと押し出すため、使用者はこれを取り外したり、その他電子装置モジュール８０’に交換したりすることができる。このほか、連動構造１１６’は第一バネ部材１１７ｂ’を含み、第一バネ部材１１７ｂ’の一端は上筐体１１に当接され、他端は第一作動部材１１７’に当接される。連動構造１１６’はさらに第二バネ部材１１８ｂ’を含み、第二バネ部材１１８ｂ’の一端は上筐体１１に当接され、他端は第二作動部材１１８’に当接される。イジェクト装置１１５’が下に押されて第一作動部材１１７’と第二作動部材１１８’に移動が発生すると、同時に第一バネ部材１１７ｂ’と第二バネ部材１１８ｂ’が圧縮される。イジェクト装置１１５’を放すと、第一バネ部材１１７ｂ’と第二バネ部材１１８ｂ’の弾力回復作用で第一作動部材１１７’と第二作動部材１１８’がそれぞれ元の位置に戻り、イジェクト装置１１５’と嵌合部材１１３’にも元の位置を回復させることができる。
【００１９】
図９に本発明のノートブック型コンピュータの別の角度からの立体図を示す。本発明のノートブック型コンピュータ１は下筐体１２はさらにＭＰ３再生モジュール１２１、切換スイッチ１２２及びメモリカードスロット１２３を含み、前記ＭＰ３再生モジュール１２１はＭＰ３操作ボタンとディスプレイが設置される。切換スイッチ１２２を制御して着脱式バッテリセット６０または外部接続電源をノートブック型コンピュータ１またはＭＰ３再生モジュール１２１のいずれかに対して給電を行わせることができる。ノートブック型コンピュータ１に給電するときＭＰ３再生モジュール１２１は作用しない状態となる。反対に、ＭＰ３再生モジュール１２１に給電するときＭＰ３再生モジュール１２１をノートブック型コンピュータ１がオフの状態下で単独で使用することができる。メモリカードスロット１２３にはメモリカードを挿入し、ＭＰ３再生モジュール１２１でデータを読み取ることができる。
【００２０】
以下、図１０と図１１の本発明の電子装置モジュールの立体分解図と立体外観図を併せて参照する。本発明の電子装置モジュール８０はノートブック型コンピュータ１に結合させることができ、外殼部８１と外殼部８１内に設置された本体部８２を含み、本体部８２が伝送インターフェース８３を含む。そのうち、電子装置モジュール８０は直接ノートブック型コンピュータ１上に取り付け、伝送インターフェース８３を介してノートブック型コンピュータ１と電気的に接続され、充電またはデータ伝送を行うことができる。
【００２１】
電子装置モジュール８０そのものは特殊機能を備えた電子デバイス製品であり、単独での使用、またはノートブック型コンピュータ１と結合させて使用することができる。電子装置モジュール８０の外殼部８１はさらに複数の凹溝８４を含み、前述のノートブック型コンピュータ１の凹陥空間１１１両側の凸部１１４(図示しない)に対応して嵌合させ、電子装置モジュール８０を横方向に凹陥空間１１１に挿入するとき、凸部１１４を外殼部８１の対応する凹溝８４の開口端から凹溝８４に嵌入させ、電子装置モジュール８０をしっかりと凹陥空間１１１内に固定することができる。外殼部８１はさらに少なくとも１つのＬ字形嵌合槽８５を含み、凹陥空間１１１上に設けられた位置が相互に対応する少なくとも１つの嵌合部材１１３(図示しない)を嵌合させることができ、電子装置モジュール８０を凹陥空間１１１に結合したとき、少なくとも１つの嵌合部材１１３を少なくとも１つのＬ字形嵌合槽８５に伸入させて固定効果を形成し、電子装置モジュール８０が凹陥空間１１１から離脱するのを防ぐことができる。Ｌ字形嵌合槽８５は前述のフック形嵌合槽８６のような形式とすることもでき、異なる設計ニーズに基づいて決定し、前述の相互に対応する嵌合部材１１３と固定効果を形成することができる。
【図面の簡単な説明】
【００２２】
【図１】本発明のノートブック型コンピュータ内部の基本部材のブロック図である。
【図２】本発明のノートブック型コンピュータと電子装置モジュールの結合前の立体図である。
【図３】本発明のノートブック型コンピュータと電子装置モジュールの結合後立体図である。
【図４】本発明のノートブック型コンピュータの実施例２の立体図である。
【図５】本発明のノートブック型コンピュータの凹陥空間の立体拡大図である。
【図６】本発明のノートブック型コンピュータの上筐体の断面図である。
【図７】本発明のノートブック型コンピュータの実施例３の凹陥空間の立体拡大図である。
【図８】本発明のノートブック型コンピュータの実施例３の上筐体の断面図である。
【図９】本発明のノートブック型コンピュータの別の角度からの立体図である。
【図１０】本発明の電子装置モジュールの立体分解図である。
【図１１】本発明の電子装置モジュールの立体外観図である。
【符号の説明】
【００２３】
１、１ａ            ノートブック型コンピュータ
１０             筐体
１１        上筐体
１１１、１１１’ 凹陥空間
１１２      接続インターフェース
１１２ａ、１１２’ 複数のピン
１１３、１１３’ 嵌合部材
１１４      凸部
１１５、１１５’ イジェクト装置
１１６、１１６’ 連動構造
１１７、１１７’     第一作動部材
１１７ａ、１１７ａ’ 第一斜め方向ガイド面
１１７ｂ、１１７ｂ’ 第一バネ部材
１１８、１１８’     第二作動部材
１１８ａ、１１８ａ’   第二斜め方向ガイド面
１１８ｂ、１１８ｂ’   第二バネ部材
１２      下筐体
１２１    ＭＰ３再生モジュール
１２２      切換スイッチ
１２３      メモリカードスロット
１３      第一枢軸部
１４        第二枢軸部
２０        中央処理装置
３０        メモリ
４０        モニタ
５０        保存装置
６０        着脱式バッテリセット
７０        キーボードモジュール
８０、８０’     電子装置モジュール
８１      外殼部
８２        本体部
８３        伝送インターフェース
８４        凹溝
８５        Ｌ字形嵌合槽
８６        フック形嵌合槽
９０        スピーカモジュール
【図１】
2009026315.tif 000003
【図２】
2009026315.tif 000004
【図３】
2009026315.tif 000005
【図４】
2009026315.tif 000006
【図５】
2009026315.tif 000007
【図６】
2009026315.tif 000008
【図７】
2009026315.tif 000009
【図８】
2009026315.tif 000010
【図９】
2009026315.tif 000011
【図１０】
2009026315.tif 000012
【図１１】
2009026315.tif 000013